(57)【要約】      （修正有）【課題】厚さ、寸法の異なった書籍、紙葉などを整理し易くした本立てを得る。【解決手段】両側板３，３’、奥板４、底板２からなり、前面と上面とが開放された函状の本体１に、相似形の構成で、前記本体内に移動自在にした内部本立て５を組み込み、側板の前上側角部が、適宜の角度切り落とし状に形成され、外側本立内に前記内部本立てを、一ないし複数個配置したことを特徴とする。【選択図】図１
0003159517.tif 000002
【実用新案登録請求の範囲】
【請求項１】
両側板、奥板、底板からなり、前面と上面とが開放された函状の本体に、相似形の構成で、前記本体内に移動自在にした内部本立てを組み込んだことを特徴とする本立て。
【請求項２】
側板の前上側角部が、適宜の角度切り落とし状に形成されたことを特徴とする請求項１記載の本立て。
【請求項３】
外側本立内に請求項１記載の本立てを、一ないし複数個配置したことを特徴とする大型本立て。
【請求項４】
外側本立内に請求項２記載の本立てを、一ないし複数個配置したことを特徴とする大型本立て。
【請求項５】
外側本立内に請求項１および請求項２記載の本立てを、混在して配置したことを特徴とする大型本立て。
【考案の詳細な説明】
【技術分野】
【０００１】  この考案は、厚さ、寸法の異なった書籍や本、さらに紙葉などを整理し易くするようにした本立てに関するものである。
【背景技術】
【０００２】  従来、本立てにおいては、異なった幅、厚さ、大きさなどの書籍、雑誌などを、同時に収納するとすれば、それらを単に立て掛けておくことにより行うのが常であるが、それらの厚さ、寸法が異なると整理し難く、いきおい乱雑となり、そのため体裁も悪く、とくに薄い紙葉などをそのまま立て掛けることは、折れ曲がるためできなかった。
【考案の開示】
【考案が解決しようとする課題】
【０００３】  この考案は、本立てとして、厚さ、寸法の異なった書籍や本、さらに紙葉などを整理し易くするようにした本立てを得ることを目的とするものである。
。
【課題を解決するための手段】
【０００４】  両側板、奥板、底板からなり、前面と上面とが開放された函状の本立て本体に、相似形の構成で、前記本体内に移動自在にした内部本立てを組み込んだことを特徴とする本立て、側板の前上側角部が、適宜の角度切り落とし状に形成されたことを特徴とする前記記載の本立て、外側本立内に前記記載の本立てを、一ないし複数個配置したことを特徴とする大型本立ての構成とする。
【考案の効果】
【０００５】  本立てとして、厚さ、寸法の異なった書籍や本、雑誌などの刊行物を整理保存でき、本立て内を内部本立てが移動することにより、それらの側板間において、紙葉、とくに一枚の紙でも保存、整理し易くするようにした製品を得ることができる。さらに外側本立内に前記記載の本立てを、一ないし複数個配置することにより、大型本立てとして多数の書籍、本、紙葉を整然と収納できる。また良質の木材を使用して、この考案の本立てを構成することにより、家具調の優美な製品を得ることができる。
【図面の簡単な説明】
【０００６】
【図１】この考案の本立ての斜視図で、書籍などを収納した状態を示す。
【図２】図１の上方から見た図である。
【図３】この考案の他の実施例で、それを上方から見た説明図である。
【考案を実施するための最良の形態】
【０００７】  両側板、奥板、底板からなり、前面と上面とが開放された函状の本立て本体に、相似形の構成で、前記本体内に移動自在にした内部本立てを組み込んだことを特徴とする本立て、側板の前上側角部が、適宜の角度切り落とし状に形成されたことを特徴とする前記記載の本立ての構成とする。
【実施例】
【０００８】  添付図面によってこの考案を説明すると、図１および図２に示すように、本立て（Ｈ１）においては、その本体（１）は図示前方および上方が開放されており、底板（２）、側板（３），（３’）、奥板（４）により一体的に形成されている。これらの構成材料は木材板、合成樹脂板、アルミニウム板など適宜用いる。この本体（１）にそれと相似形で、本体（１）内に入るように小さ目に形成した内部本立て（５）を組み合わせる。その状態は図に示すように、本体（１）の側板（３），（３’）間を内部本立て（５）が前後左右に移動自在に載置されていることにより、内部本立て（５）を手で持って前後左右に移動させることができる。【０００９】  そして図に示すように書籍（Ｂ）を空所（Ｓ）に収納すると、その幅（Ｗ）内の厚さのものが収納でき、この幅（Ｗ）は内部本立て（５）を左右に動かして調節することにより、書籍（Ｂ）のその厚さに対応したり、また他の本と同時に収納できる。内部本立て（５）内には、雑誌（Ｍ）など比較的薄目の刊行物などを収納するのに都合がよく、それを入れることによって、この内部本立て（５）自体に重さをもたらして安定させることができる。そしてこの内部本立て（５）を本体（１）の側板（３’）側に移動して、その際、内部本立て（５）の一方側にできた空隙（ｓ）に、薄い紙の文書（Ｌ）を挟むようにして収納することができる。このように、本体（１）の側板（３’）と、内部本立て（５）の図示右側の側板（３”）とによって、たとえ一枚の紙でも挟むことができ、このことは一枚の紙に書かれた文書を保存したり、整理することにまことに都合がよい。【００１０】  図示のように本体（１）の側板（３），（３’）および内部本立て（５）の側板の前上側角部（ｋ）が、適宜の角度切り落とし状に形成されることにより、書籍、紙葉などを収納、取り出しにあたり一段と取り扱い易くすることができる。（Ｒ）は表示などを行うラベルである。【００１１】  さらに図３に示すのは、外側本立て（Ｈ０）を設け、前記した本立て（Ｈ１）、本立て（Ｈ２）をその中側に配置して、それらの間に形成される底板（２’）のスペース内に書籍（Ｂ），（Ｂ１）〜（Ｂ３）などを収納するようにした大型本立て（Ｙ）である。その際、本立て（Ｈ１）の側板（３’）と外側本立て（Ｈ０）の右側板（３ａ）、および本立て（Ｈ２）の側板（３）と外側本立て（Ｈ０）の左側板（３ｂ）との間においては、前記同様に薄い紙の文書（Ｌ）を挟んで保持することができる。なおここで外側本立て（Ｈ０）内には、前記本立て（Ｈ１）のみを配置してもよいし、本立て（Ｈ１），本立て（Ｈ２）などと同様の構成を複数個以上配置してもよい。また各側板において、前上側角部（ｋ）の適宜の角度切り落とし状に形成されない構成のものと、それが形成された構成のものを混在して配置してもよい。
【符号の説明】
【００１２】（Ｈ１），（Ｈ２）本立て
（１）本体
（２），（２’）底板
（３），（３’），（３”）側板
（４）奥板
（５）内部本立て
（Ｂ）書籍
（ｋ）前上側角部
（Ｌ）薄い紙の文書
（Ｍ）雑誌
（Ｒ）ラベル
（Ｗ）幅
（Ｓ）空所
（ｓ）空隙
（Ｙ）大型本立て
（Ｈ０）外側本立て
【図１】
0003159517.tif 000003
【図２】
0003159517.tif 000004
【図３】
0003159517.tif 000005
【手続補正書】
【提出日】平成22年3月2日(2010.3.2)
【手続補正１】
【補正対象書類名】実用新案登録請求の範囲
【補正対象項目名】全文
【補正方法】変更
【補正の内容】
【実用新案登録請求の範囲】
【請求項１】
両側板、奥板、底板からなり、前面と上面とが開放された函状の本体に、相似形の構成で、前記本体内に移動自在にした内部本立てを載置したことを特徴とする本立て。
【請求項２】
側板の前上側角部が、適宜の角度切り落とし状に形成されたことを特徴とする請求項１記載の本立て。
【請求項３】
外側本立内に請求項１記載の本立てを、一ないし複数個配置したことを特徴とする大型本立て。
【請求項４】
外側本立内に請求項２記載の本立てを、一ないし複数個配置したことを特徴とする大型本立て。
【請求項５】
外側本立内に請求項１または請求項２記載の本立てを、混在して配置したことを特徴とする大型本立て。
【手続補正２】
【補正対象書類名】明細書
【補正対象項目名】０００４
【補正方法】変更
【補正の内容】
【０００４】  両側板、奥板、底板からなり、前面と上面とが開放された函状の本立て本体に、相似形の構成で、前記本体内に移動自在にした内部本立てを載置したことを特徴とする本立て、側板の前上側角部が、適宜の角度切り落とし状に形成されたことを特徴とする前記記載の本立て、外側本立内に前記記載の本立てを、一ないし複数個配置したことを特徴とする大型本立ての構成とする。
【手続補正３】
【補正対象書類名】明細書
【補正対象項目名】０００７
【補正方法】変更
【補正の内容】
【０００７】  両側板、奥板、底板からなり、前面と上面とが開放された函状の本立て本体に、相似形の構成で、前記本体内に移動自在にした内部本立てを載置したことを特徴とする本立て、側板の前上側角部が、適宜の角度切り落とし状に形成されたことを特徴とする前記記載の本立ての構成とする。